(57)【特許請求の範囲】
【請求項１】
ＣＲＴ（Ｃａｔｈｏｄｅ  Ｒａｙ  Ｔｕｂｅ）の水平走査周期を規定する水平同期信号を計数し、垂直走査方向における水平走査位置に相当する計数値を出力する水平ラインカウンタと、
前記ＣＲＴの垂直走査周期を規定する垂直同期信号にもとづいて、前記水平ラインカウンタにより計数された垂直走査周期ごとの水平ライン数を検出する垂直周期検出回路と、
この垂直周期検出回路で検出した水平ライン数にもとづいて、垂直走査周期をｎ分割したときの間隔に相当するタイミング信号を出力する１／ｎ回路と、
この１／ｎ回路からのタイミング信号により計数動作する計数回路と、
この計数回路の計数値を基準値と比較し、前記計数値と前記基準値とが一致した際にタイミング信号を出力する比較回路と、
この比較回路からのタイミング信号に応じて、前記水平ラインカウンタの計数値を保持する保持回路と、
この保持回路で保持した計数値と前記水平ラインカウンタの計数値とにもとづいて、垂直走査方向の水平走査位置に対応した領域・係数データを算出する領域・係数演算回路と、
この領域・係数演算回路で算出した領域・係数データおよび画像調整用データにもとづいて、垂直走査方向の水平走査位置に対応した画像補正データを生成する生成回路と、
この生成回路で生成した画像補正データをディジタル／アナログ変換して出力する変換回路と
を具備したことを特徴とするディジタル画像補正装置。
【請求項２】
前記画像調整用データおよび前記基準値を記憶するメモリ回路をさらに備えることを特徴とする請求項１に記載のディジタル画像補正装置。
【請求項３】
前記画像調整用データおよび前記基準値は、インターフェース部によってあらかじめ設定されることを特徴とする請求項２に記載のディジタル画像補正装置。
【請求項４】
前記水平ラインカウンタは、前記垂直同期信号によってリセットされることを特徴とする請求項１に記載のディジタル画像補正装置。
【請求項５】
前記１／ｎ回路は、前記水平同期信号のｎ倍の周波数を有するクロック信号によりカウント動作するカウンタと、このカウンタのカウント値と前記垂直周期検出回路で検出した水平ライン数とを比較し、前記カウント値と前記水平ライン数とが一致した際に、垂直走査周期をｎ分割したときの間隔に相当するタイミング信号を出力するコンパレータと、このコンパレータからのタイミング信号によって、前記カウンタのカウント動作をクリアするクリア回路とを備えて構成されることを特徴とする請求項１に記載のディジタル画像補正装置。
【請求項６】
前記比較回路は、少なくとも第１のコンパレータおよび第２のコンパレータを備えて構成されることを特徴とする請求項１に記載のディジタル画像補正装置。
【請求項７】
前記第１のコンパレータおよび前記第２のコンパレータには、前記ＣＲＴの表示画面上での垂直走査方向における複数の調整ポイント位置のうち、異なる二点の調整ポイント位置のいずれかの位置データが、前記基準値として供給されることを特徴とする請求項６に記載のディジタル画像補正装置。
【請求項８】
前記保持回路は、少なくとも第１のラッチ回路および第２のラッチ回路を備えて構成されることを特徴とする請求項１に記載のディジタル画像補正装置。
【請求項９】
前記領域・係数演算回路は、前記ＣＲＴの表示画面上での垂直走査方向における複数の調整ポイント位置のうち、少なくとも二点の調整ポイント位置の位置データに対応する画像調整用データにもとづいて、残りの調整ポイント位置の位置データに対応する画像調整用データを算出し、それを前記領域・係数データとして出力することを特徴とする請求項１に記載のディジタル画像補正装置。
【請求項１０】
前記生成回路は、前記垂直走査方向の水平走査位置が前記調整ポイント位置の場合には、その調整ポイント位置の位置データに対応する前記画像調整用データを前記画像補正データとして、また、前記垂直走査方向の水平走査位置が前記調整ポイント位置でない場合には、前記領域・係数データおよび前記画像調整用データにもとづいて補間演算を行って、その結果を前記垂直走査方向の水平走査位置に対応する画像補正データとして出力することを特徴とする請求項１に記載のディジタル画像補正装置。
【発明の詳細な説明】
【０００１】
【発明の属する技術分野】
この発明は、ディジタル画像補正装置に関するもので、特に、カラーＣＲＴを用いるマルチシステムＴＶやマルチスキャン（または、マルチシンク）ＣＲＴモニタなどの、走査周波数の異なる複数の表示モードを有するカラー画像表示装置（いわゆる、カラーディスプレイ）で用いられるものである。
【０００２】
【従来の技術】
周知のように、複数の表示モードを有するカラー画像表示装置においては、表示モードごとに、コンバージェンス（ＲＧＢの各カソード電極からＣＲＴ蛍光面走査点までの距離の相違に起因するビーム収束ずれ）のずれ量や画像の各種歪みの歪み量が異なる。これは、各表示モードにおける走査周波数が異なるためである。したがって、コンバージェンス補正や画像の各種歪み補正を行う場合、表示モードごとに適切な補正を自動的に行うためには、何らかの手段を用いて画像を補正する際の基準となる画面の位置（垂直走査方向の水平走査位置）を検出する必要がある。
【０００３】
垂直走査方向の水平走査位置を検出する手段としては、たとえば図３に示すようなディジタル画像補正装置が知られている（特願平８−９８４２６号参照）。すなわち、図３は、従来の、垂直偏向系のディジタル画像補正装置を備える、マルチスキャン・カラーＣＲＴモニタの概略構成を示すものである。このカラーＣＲＴモニタの場合、たとえば、カラーＣＲＴ１０１には、ビデオ信号増幅用のビデオアンプ１０２が接続されている。また、カラーＣＲＴ１０１には、垂直偏向ヨーク１０３および垂直コンバーゼンス偏向ヨーク１０４がそれぞれ取り付けられている。
【０００４】
上記垂直偏向ヨーク１０３には垂直偏向回路１０５が接続され、この垂直偏向回路１０５を介して、垂直偏向信号が供給されるようになっている。
上記垂直偏向回路１０５には、インターフェース部１０６が接続されている。このインターフェース部１０６は、上記カラーＣＲＴ１０１の表示画面上での垂直走査方向における複数の調整ポイント位置を指定したり、この調整ポイント位置に対応する垂直偏向電流に相当するディジタル信号などを設定することが可能となっている。
【０００５】
一方、上記垂直コンバーゼンス偏向ヨーク１０４にはディジタル画像補正装置２００が接続され、このディジタル画像補正装置２００から、垂直走査方向におけるコンバージェンス補正や画像の歪みを補正するための、アナログ画像補正信号が供給されるようになっている。
【０００６】
ディジタル画像補正装置２００では、たとえば、上記垂直偏向ヨーク１０３に流れる垂直偏向電流を垂直偏向電流検出回路２０１で検出する。そして、この垂直偏向電流検出回路２０１で検出した垂直偏向電流（アナログ値）を、ＡＤＣ（Ａｎａｌｏｇ  ｔｏ  Ｄｉｇｉｔａｌ  Ｃｏｎｖｅｒｔｅｒ）２０２でディジタル信号に変換する。
【０００７】
この後、上記ＡＤＣ２０２でアナログ／ディジタル変換したディジタル信号をコンパレータ２０３に送り、このコンパレータ２０３で、上記インターフェース部１０６からの基準値（調整ポイント位置の位置データ）と比較する。
【０００８】
そして、この基準値と上記ディジタル信号とが所定の関係となるタイミングで、水平ラインカウンタ２０４からの計数値（上記カラーＣＲＴ１０１の水平走査周期を規定する水平同期信号を計数することによって得られる、垂直走査方向における水平走査位置に相当する水平ラインカウント値）を、ラッチ回路２０５でラッチする。
【０００９】
次いで、このラッチ回路２０５でラッチした計数値と上記水平ラインカウンタ２０４からの計数値とにもとづいて、ＥＥＰＲＯＭ（ＥｌｅｃｔｒｉｃａｌｌｙＥｒａｓａｂｌｅ  ａｎｄ  Ｐｒｏｇｒａｍｍａｂｌｅ  Ｒｅａｄ  ＯｎｌｙＭｅｍｏｒｙ）２１２から供給される画像調整データをもとに、領域・係数演算回路２０６で、垂直走査方向の水平走査位置に対応した領域・係数データ（水平ラインカウント値に対応する垂直調整領域とその領域での画像補正係数）を算出する。
【００１０】
また、補間演算回路２０７で、上記領域・係数演算回路２０６で算出した領域・係数データと、上記水平ラインカウンタ２０４からの計数値と、ＤＲＡＭ（Ｄｙｎａｍｉｃ  Ｒａｎｄｏｍ  Ａｃｃｅｓｓ  Ｍｅｍｏｒｙ）２１３からの画像調整データとをもとに補間演算を行って、画像補正データを算出する。
【００１１】
そして、この画像補正データ（ディジタル値）を、ＤＡＣ（Ｄｉｇｉｔａｌ  ｔｏ  Ａｎａｌｏｇ  Ｃｏｎｖｅｒｔｅｒ）２０８１  でアナログ信号（アナログ画像補正信号）に変換した後、上記垂直コンバーゼンス偏向ヨーク１０４に出力する。
【００１２】
なお、調整データ入力部２１１は、上記ＥＥＰＲＯＭ２１２に書き込む画像調整データを入力するためのものである。
ＤＡＣ２０８２  〜２０８ｎ  は、上記補間演算回路２０７で算出した画像補正データをアナログ画像補正信号に変換して、上記垂直コンバーゼンス偏向ヨーク１０４以外の他の補正回路に供給するためのものである。
【００１３】
クロック発生回路２１４は、上記水平同期信号の、たとえば２５６倍の周波数を有するクロック信号を発生し、これを動作制御信号として、上記領域・係数演算回路２０６および上記補間演算回路２０７に供給するようになっている。
【００１４】
このような構成のディジタル画像補正装置によれば、カラーＣＲＴ１０１の表示画面上での垂直走査方向の画像補正を行うのに必要な画像調整データ保持用メモリ（ＥＥＰＲＯＭ２１２，ＤＲＡＭ２１３）の容量をできるだけ少なくでき、表示画面上での垂直走査方向の調整ポイント位置を多くすることで、画像補正の精度を向上させることが容易に可能である。
【００１５】
しかしながら、上記したディジタル画像補正装置の場合、アナログ要素であるＡＤＣ２０２が存在するため、これをディジタル／アナログ混載ＬＳＩ（Ｌａｒｇｅ  Ｓｃａｌｅ  Ｉｎｔｅｇｒａｔｅｄ  ｃｉｒｃｕｉ）に集積化する際に、ＡＤＣコアの追加によるＬＳＩ面積の増大やＡＤＣ用入出力端子の増加が懸念されるとともに、ＡＤＣに対するディジタルノイズ対策などが必要であり、また、アナログ要素にありがちな製造過程における性能ばらつきが発生しやすくなるといった問題があった。
【００１６】
【発明が解決しようとする課題】
上記したように、従来においては、画像調整データ保持用メモリの容量をできるだけ少なくし、調整ポイント位置を多くして画像補正精度を向上させることが可能であるものの、集積化する際には、ＬＳＩ上にディジタル回路とアナログ回路とを混載させることになるため、集積化には不向きであるという問題があった。
【００１７】
そこで、この発明は、アナログ要素を用いることなく、すべてディジタル回路により構成でき、集積化にとって好適なディジタル画像補正装置を提供することを目的としている。
【００１８】
【課題を解決するための手段】
本願発明の一態様によれば、ＣＲＴ（Ｃａｔｈｏｄｅ  Ｒａｙ  Ｔｕｂｅ）の水平走査周期を規定する水平同期信号を計数し、垂直走査方向における水平走査位置に相当する計数値を出力する水平ラインカウンタと、前記ＣＲＴの垂直走査周期を規定する垂直同期信号にもとづいて、前記水平ラインカウンタにより計数された垂直走査周期ごとの水平ライン数を検出する垂直周期検出回路と、この垂直周期検出回路で検出した水平ライン数にもとづいて、垂直走査周期をｎ分割したときの間隔に相当するタイミング信号を出力する１／ｎ回路と、この１／ｎ回路からのタイミング信号により計数動作する計数回路と、この計数回路の計数値を基準値と比較し、前記計数値と前記基準値とが一致した際にタイミング信号を出力する比較回路と、この比較回路からのタイミング信号に応じて、前記水平ラインカウンタの計数値を保持する保持回路と、この保持回路で保持した計数値と前記水平ラインカウンタの計数値とにもとづいて、垂直走査方向の水平走査位置に対応した領域・係数データを算出する領域・係数演算回路と、この領域・係数演算回路で算出した領域・係数データおよび画像調整用データにもとづいて、垂直走査方向の水平走査位置に対応した画像補正データを生成する生成回路と、この生成回路で生成した画像補正データをディジタル／アナログ変換して出力する変換回路とを具備したことを特徴とするディジタル画像補正装置が提供される。
【００１９】
上記した構成によれば、アナログ要素を排除でき、アナログ要素に対するディジタルノイズ対策を不要にできるようになる。これにより、ＬＳＩ面積の増大や製造過程における性能ばらつきが発生するといった問題を回避することが可能となるものである。
【００２０】
【発明の実施の形態】
以下、本発明の実施の形態について図面を参照して説明する。
図１は、この発明の実施の一形態にかかる垂直偏向系のディジタル画像補正装置を、マルチスキャン・カラーＣＲＴモニタに適用した場合を例に示すものである。
【００２１】
このカラーＣＲＴモニタの場合、たとえば、カラーＣＲＴ１１には、ビデオ信号増幅用のビデオアンプ１２が接続されている。また、カラーＣＲＴ１１には、垂直偏向ヨーク１３が取り付けられている。
【００２２】
上記垂直偏向ヨーク１３には垂直偏向回路１４が接続され、この垂直偏向回路１４を介して、上記垂直偏向ヨーク１３に垂直偏向信号が供給されるようになっている。
【００２３】
上記垂直偏向回路１４には、制御系回路（図示していない）から上記垂直偏向信号が供給されるとともに、垂直画像補正回路１５を介して、各種の画像補正信号が供給されるようになっている。
【００２４】
上記垂直画像補正回路１５にはディジタル画像補正装置２０が接続され、このディジタル画像補正装置２０から垂直走査方向における画像の歪みを補正するための、アナログ画像補正信号が供給されるようになっている。
【００２５】
上記ディジタル画像補正装置２０は、上記カラーＣＲＴ１１の水平走査周期を規定する垂直同期信号と水平走査周期を規定する水平同期信号とから垂直走査方向の水平走査位置に対応した領域・係数データを算出することにより、垂直走査方向の水平走査位置を検出するようにしたものであって、たとえば、水平ラインカウンタ２１、垂直周期検出回路２２、領域・係数データ演算部２３、補間演算回路（生成回路）２４、ＤＡＣ（変換回路）２５１  〜２５ｎ  、ＤＲＡＭ（メモリ回路）２６、クロック発生回路２７、および、タイミング発生回路２８を有して構成されている。
【００２６】
すなわち、上記ディジタル画像補正装置２０において、水平ラインカウンタ２１は、水平系回路（図示していない）から供給される、上記カラーＣＲＴ１１の水平走査周期を規定する水平同期信号を計数し、垂直走査方向における水平走査位置に相当する計数値（水平ラインカウント値）を出力するものである。
【００２７】
この水平ラインカウンタ２１は、垂直系回路（図示していない）から供給される、上記カラーＣＲＴ１１の垂直走査周期を規定する垂直同期信号によってリセットされるようになっている。
【００２８】
垂直周期検出回路２２は、上記垂直同期信号にもとづいて、上記水平ラインカウンタ２１がカウントする垂直走査周期ごとの水平ライン数を検出するものである。
【００２９】
上記領域・係数データ演算部２３は、垂直走査方向の水平走査位置に対応した領域・係数データを算出するためのものであって、たとえば、１／ｎ回路２３１  、カウンタ（計数回路）２３２  、コンパレータ（比較回路）２３３  、ラッチ回路（保持回路）２３４  、および、領域・係数演算回路２３５  からなっている。
【００３０】
１／ｎ回路２３１  は、上記垂直周期検出回路２２で検出した水平ライン数にもとづいて、垂直走査周期をｎ分割したときの間隔に相当するタイミング信号を出力するものである。
【００３１】
カウンタ２３２  は、上記１／ｎ回路２３１  からのタイミング信号をクロック入力として計数動作するものである。
コンパレータ２３３  は、インターフェース部１６によって調整工程時にあらかじめ設定される基準値（調整ポイント位置の位置データ）と上記カウンタ２３２  の計数値とを比較し、その比較結果が所定の関係になった際にタイミング信号を出力するものである。
【００３２】
ラッチ回路２３４  は、上記コンパレータ２３３からのタイミング信号に応じて、上記水平ラインカウンタ２１の水平ラインカウント値を保持するものである。領域・係数演算回路２３５  は、上記ラッチ回路２３４  で保持した水平ラインカウント値と上記水平ラインカウンタ２１の水平ラインカウント値とにもとづいて、複数（たとえば、ｍ個）の垂直走査方向の水平走査位置に対応した領域・係数データを算出するものである。
【００３３】
なお、上記領域・係数データ演算部２３の詳細については後述する。
補間演算回路２４は、上記領域・係数演算回路２３５  で算出した垂直走査方向の水平走査位置に対応する領域・係数データと、上記インターフェース部１６によって調整工程時にあらかじめ設定されて、ＤＲＡＭ２６内より読み出された画像調整データとにもとづいて、垂直走査方向の水平走査位置に対応した画像補正データを生成するものである。
【００３４】
この補間演算回路２４では、垂直走査方向の水平走査位置が調整ポイント位置である場合には、その調整ポイント位置の位置データに対応する画像調整データを画像補正データとして、また、垂直走査方向の水平走査位置が調整ポイント位置でない場合（調整ポイント位置の間の場合）には、領域・係数データおよび画像調整データにもとづいて補間演算を行って、その結果を垂直走査方向の水平走査位置に対応する画像補正データとして、リアルタイムに出力するようになっている。
【００３５】
ＤＡＣ２５１  〜２５ｎ  は、上記補間演算回路２４で生成した画像補正データをＤ／Ａ（ディジタル／アナログ）変換して、上記垂直画像補正回路１５に出力するものである。このＤＡＣ２５１  〜２５ｎ  は、たとえば、上記カラーＣＲＴ１１の表示画面上に発生する画像歪の種類（たとえば、垂直リニアリティ歪、樽型、台形歪、弓形、平行四辺形歪など）ごとに用意されている。
【００３６】
上記ＤＲＡＭ２６は、たとえば、垂直走査方向における画像の歪みを補正するための、少なくとも異なる二点の調整ポイント位置に対応する画像調整データ、および、その調整ポイント位置の位置データなどを格納する、高速の揮発性半導体メモリである。
【００３７】
クロック発生回路２７は、上記水平同期信号の数倍（たとえば、２５６倍）の周波数のクロック信号を発生し、それを上記ディジタル画像補正装置２０における動作制御信号として供給するようになっている。
【００３８】
タイミング発生回路２８は、上記クロック発生回路２７からのクロック信号により、上記ディジタル画像補正装置２０を制御するのに必要なタイミング信号を発生するものである。
【００３９】
なお、上記インターフェース部１６は、たとえば、上記カラーＣＲＴ１１の表示画面上での垂直走査方向における複数の調整ポイント位置を指定したり、この調整ポイント位置のうちの、少なくとも異なる二点の調整ポイント位置に対応する垂直偏向電流に相当する画像調整データなどを設定することが可能となっている。
【００４０】
ここで、上記した構成のディジタル画像補正装置２０の動作の概要について説明する。
なお、ここでは、上記カラーＣＲＴ１１の表示画面上の垂直走査方向に複数（たとえば、ｎ個）の調整ポイント位置を設け、ｎ個の調整ポイント位置のうち、上側から１番目の調整ポイント位置をＰ１、２番目の調整ポイント位置をＰ２、以下、同様にｎ番目の調整ポイント位置をＰｎと呼ぶものとする。
【００４１】
カラーＣＲＴモニタの調整工程において、たとえば、垂直走査方向における画像の歪み補正を行う場合、まず、インターフェース部１６を用いて、少なくとも異なる二点の調整ポイント位置ＰＡ，ＰＢ（ＰＡ，ＰＢはＰ１〜Ｐｎのいずれか）についての画像調整データを設定し、それを内部に保持させる。
【００４２】
また、この調整工程に際して、インターフェース部１６を用いて、少なくとも異なる二点の調整ポイント位置ＰＡ，ＰＢの位置データを指定し、それを内部に保持させる。
【００４３】
そして、カラーＣＲＴモニタの通常動作に先立って、上記インターフェース部１６内に保持している画像調整データを、ＤＲＡＭ２６および補間演算回路２４の内部レジスタ（図示していない）に転送し、記憶させる。また、上記インターフェース部１６内に保持している位置データを、ディジタル画像補正装置２０の内部レジスタ（図示していない）に転送し、記憶させる。
【００４４】
カラーＣＲＴモニタの通常動作時、垂直走査方向における画像の歪み補正は、水平走査位置を水平走査ごとに変えることで補正する。
たとえば、まず、インターフェース部１６を介して指定される、少なくとも異なる二点の調整ポイント位置ＰＡ，ＰＢの位置データにもとづいて、領域・係数演算回路２３５  において、垂直走査方向の水平走査位置に対応する領域・係数データを求める。
【００４５】
その領域・係数データが調整ポイント位置ＰＡ，ＰＢである場合は、補間演算回路２４において、画像調整データと領域・係数データとから、垂直走査方向の水平走査位置の補正を行うための画像補正データを求める。
【００４６】
また、領域・係数データが調整ポイント位置ＰＡ，ＰＢの間である場合は、補間演算回路２４において、領域・係数データと画像調整データとにもとづいて補間演算を行って、画像補正データを求める。
【００４７】
こうして、水平走査周期に対応してリアルタイムに画像補正データを生成し、ＤＡＣ２５１  〜２５ｎ  にてＤ／Ａ変換して水平走査方向に変化するアナログ画像補正信号を得た後、垂直画像補正回路１５を介して、垂直走査方向における画像の歪みの補正が行われる。
【００４８】
このように、ディジタル画像補正装置２０においては、カラーＣＲＴ１１の表示画面上の、少なくとも異なる二点の調整ポイント位置ＰＡ，ＰＢを指定することによって、ＡＤＣを用いることなく、表示画面上での垂直走査方向におけるすべての水平走査位置についての、アナログ画像補正信号を得ることが可能となっている。
【００４９】
図２は、上記した構成のディジタル画像補正装置２０における、領域・係数データ演算部２３の構成例を示すものである。なお、ここでは、少なくとも異なる二点の調整ポイント位置ＰＡ，ＰＢの位置データにもとづいて、垂直走査方向の水平走査位置に対応する領域・係数データを求める場合について説明する。
【００５０】
１／ｎ回路２３１  は、たとえば、上記クロック発生回路２７のクロック信号（水平同期信号のｎ倍の周波数を有するクロック信号ｎｆｈ）によりカウント動作するカウンタ２３１ −１  と、このカウンタ２３１ −１  のカウント値と上記垂直周期検出回路２２で検出した水平ライン数とを比較し、あるタイミング（カウンタ２３１ −１  のカウント値と垂直周期検出回路２２の水平ライン数（ｍ）とが一致するタイミング）で、垂直走査周期をｎ分割したときの間隔に相当するタイミング信号を上記カウンタ２３２  に出力するコンパレータ２３１ −２  と、このコンパレータ２３１ −２  からのタイミング信号によって、上記カウンタ２３１ −１  のカウント動作をクリア（リセット）するためのタイミング信号を発生するクリア回路２３１ −３  とで構成されている。
【００５１】
コンパレータ２３３  は、少なくとも第１のコンパレータ２３３ −１  と第２のコンパレータ２３３ −２  とを有して構成され、上記インターフェース部１６によって指定される、少なくとも異なる二点の調整ポイント位置ＰＡ，ＰＢのいずれかの位置データと上記カウンタ２３２  の計数値とをそれぞれ比較し、位置データとカウンタ２３２  の計数値とが一致するタイミングを検出して、タイミング信号を出力するようになっている。
【００５２】
ラッチ回路２３４  は、少なくとも第１のラッチ回路２３４ −１  と第２のラッチ回路２３４ −２  とを有して構成され、それぞれ、上記第１のコンパレータ２３３ −１  および上記第２のコンパレータ２３３ −２  から出力されるタイミング信号により、上記水平ラインカウンタ２１の計数値を保持するようになっている。
【００５３】
このような構成において、たとえば、ＶＧＡ（Ｖｉｄｅｏ  ＧｒａｐｈｉｃｓＡｒｒａｙ）入力に対応する水平走査周波数ｆｈを３１．４６９ＫＨｚ、垂直走査周波数ｆｖを５９．９４０Ｈｚ、水平ライン数ｍを５２５ラインとする表示モードにおける、垂直走査方向の水平走査位置に対応する領域・係数データを算出する場合、まず、垂直周期検出回路２２によって垂直走査周期ごとの水平ライン数（５２５ライン）が検出され、１／ｎ回路２３１  を構成するコンパレータ２３１ −２  に供給される。
【００５４】
また、水平走査周波数のｎ倍（たとえば、２５６倍）の周波数を有するクロック信号２５６ｆｈが、クロック発生回路２７により発生されて、１／ｎ回路２３１  を構成するカウンタ２３１ −１  に供給される。
【００５５】
これにより、上記カウンタ２３１ −１  のカウント値と上記垂直周期検出回路２２で検出された水平ライン数とが一致するタイミングで、上記コンパレータ２３１ −２  から、垂直走査周期を２５６分割したときの間隔に相当するタイミング信号が出力される。
【００５６】
ここで、水平走査周波数ｆｈのｎ倍、たとえば２５６倍の周波数を有するクロック信号２５６ｆｈの周期は、下式（１）で示される。
0003607505.tif 000002
また、水平ライン数ｍが５２５ラインのとき、垂直走査周期をｎ分割、たとえば２５６分割したときの間隔に相当する周期ａは、下式（２）で示される。
【００５７】
0003607505.tif 000003
この周期ａをｎ倍、たとえば２５６倍したときの周期ｂは、下式（３）となる。
【００５８】
0003607505.tif 000004
したがって、下式（４）に示すように、周期ｂの逆数をとることによって、垂直走査周期ｆｖが求まる。
【００５９】
0003607505.tif 000005
このように、上記式（４）で求まる垂直走査周波数ｆｖは、ＶＧＡ入力に対応する垂直走査周波数（５９．９４０Ｈｚ）と同一であり、ゆえに、上記した方法によって垂直走査周期をｎ分割することにより、垂直走査周期をｎ分割したときの間隔に相当するタイミング信号が得られる。
【００６０】
上記コンパレータ２３１ −２  から出力されるタイミング信号はカウンタ２３２  に供給され、このカウンタ２３２  によりｎ回（たとえば、２５６回）カウントされることによって、２５６分割された垂直走査同期が再生される。
【００６１】
そして、このカウンタ２３２  の計数値がコンパレータ２３３  に供給されることにより、上記計数値は、第１のコンパレータ２３３ −１  および第２のコンパレータ２３３ −２  において、調整ポイント位置ＰＡの位置データまたは調整ポイント位置ＰＢの位置データと比較される。
【００６２】
この比較の結果、位置データとカウンタ２３２  の計数値とが一致するタイミングで、第１のコンパレータ２３３ −１  または第２のコンパレータ２３３ −２  より、ラッチ回路２３４  に対してタイミング信号が出力される。
【００６３】
これにより、第１のラッチ回路２３４ −１  および第２のラッチ回路２３４ −２  において、各タイミングでの、上記水平ラインカウンタ２１の計数値（水平ラインカウント値）が保持される。
【００６４】
こうして、第１のラッチ回路２３４ −１  および第２のラッチ回路２３４ −２  により水平ラインカウント値がラッチされると、領域・係数演算回路２３５によって、それぞれにラッチされた水平ラインカウント値と上記水平ラインカウンタ２１の水平ラインカウント値とにもとづいて、垂直走査方向の水平走査位置に対応した領域・係数データの算出が行われる。
【００６５】
以上のようにして、垂直同期信号と水平同期信号とから、垂直走査方向の水平走査位置に対応する領域・係数データを得ることができる。なお、この領域・係数データの算出方法の詳細については、たとえば特願平８−９８４２６号を参照されたい。
【００６６】
上記したように、ディジタル画像補正装置において、アナログ要素を排除でき、アナログ要素に対するディジタルノイズ対策を不要にできるようにしている。すなわち、垂直走査方向の水平走査位置を検出する手段として、垂直偏向電流を検出するのではなく、垂直同期信号と水平同期信号とから演算によって垂直走査方向の水平走査位置に対応した領域・係数データを算出するようにしている。これにより、アナログ要素を用いることなく、ディジタル画像補正装置をすべてディジタル回路により構成できるようになる。したがって、集積化する際の、ＬＳＩ面積の増大やアナログ要素にありがちな製造過程における性能ばらつきが発生するといった問題を回避することが可能となるものである。
なお、この発明は上記した実施の一形態に限定されるものではなく、発明の要旨を変えない範囲において、種々変形実施可能なことは勿論である。
【００６７】
【発明の効果】
以上、詳述したようにこの発明によれば、アナログ要素を用いることなく、すべてディジタル回路により構成でき、集積化にとって好適なディジタル画像補正装置を提供できる。
【図面の簡単な説明】
【図１】この発明の実施の一形態にかかる、マルチスキャン・カラーＣＲＴモニタの概略構成を示すブロック図。
【図２】同じく、上記カラーＣＲＴモニタに用いられるディジタル画像補正装置における、領域・係数データ演算部の構成例を示すブロック図。
【図３】従来技術とその問題点を説明するために示す、マルチスキャン・カラーＣＲＴモニタの概略ブロック図。
【符号の説明】
１１…カラーＣＲＴ
１２…ビデオアンプ
１３…垂直偏向ヨーク
１４…垂直偏向回路
１５…垂直画像補正回路
１６…インターフェース部
２１…水平ラインカウンタ
２２…垂直周期検出回路
２３…領域・係数データ演算部
２３１  …１／ｎ回路
２３１ −１  …カウンタ
２３１ −２  …コンパレータ
２３１ −３  …クリア回路
２３２  …カウンタ
２３３  …コンパレータ
２３３ −１  …第１のコンパレータ
２３３ −２  …第２のコンパレータ
２３４  …ラッチ回路
２３４ −１  …第１のラッチ回路
２３４ −２  …第２のラッチ回路
２３５  …領域・係数演算回路
２４…補間演算回路
２５１    ２５ｎ  …ＤＡＣ
２６…ＤＲＡＭ
２７…クロック発生回路
２８…タイミング発生回路
【図１】
0003607505.tif 000006
【図２】
0003607505.tif 000007
【図３】
0003607505.tif 000008